(57)【要約】【課題】  外被が比較的柔らかい素材で形成されても、ＩＣタグの破損を防止することができる。【解決手段】  玩具１０はぬいぐるみ型の玩具であり、外被（１２０）およびこの外被に充填された充填材（１２２）を含む。ぬいぐるみ（１２）の尻部（３２ａ）は、平坦面または略平坦面で形成され、この部分には、外被の表側に装飾部材（１４）が縫い付けられる。装飾部材に対応する位置には、外被の裏側に補強部材（１６）が接着される。この補強部材には、ＩＣタグ（１８）が貼り付けられる。ユーザは、装飾部材が設けられたぬいぐるみの尻部をリーダライタに接触させたり、ぬいぐるみをリーダライタに置いたり（座らせたり）して、玩具をリーダライタに翳す。すると、タグ情報が読み出されたり、タグ情報が書き換えられたりする。【選択図】  図３
2020078592.tif 000002
【特許請求の範囲】
【請求項１】
ぬいぐるみ型の玩具であって、
ＩＣタグ、
前記ＩＣタグが貼り付けられ、少なくとも当該ＩＣタグより折れ曲がり難い硬さを有する第１素材で形成された補強部材、および
前記補強部材を固定し、前記第１素材よりも柔らかい第２素材で形成された外被を備え、
前記補強部材は、前記外被の裏側のうち、前記玩具を平面に置いた場合の当該玩具の設置面の裏側に固定される、玩具。
【請求項２】
前記玩具を平面に置いた場合の当該玩具の設置部分は、平面または略平面となるように形成される、請求項１記載の玩具。
【請求項３】
前記補強部材は、前記玩具の尻部の裏側に固定される、請求項１または２に記載の玩具。
【請求項４】
前記補強部材に対応する前記外被の表側に指標を設けた、請求項１ないし３のいずれかに記載の玩具。
【請求項５】
前記指標は前記外被に固定される別部材の装飾部材で形成される、請求項４記載の玩具。
【請求項６】
前記補強部材は、前記外被の裏側のうち、装飾部材が形成される部分に接着される、請求項５記載の玩具。
【請求項７】
前記外被の裏側に前記補強部材が固定され、当該補強部材の面のうち、前記外被に固定される場合に当該外被に対向する面と反対側の面に前記ＩＣタグが貼り付けられる、請求項１ないし６のいずれかに記載の玩具。
【請求項８】
前記ＩＣタグは粘着部材付きである、請求項１ないし７のいずれかに記載の玩具。
【請求項９】
前記外被の内部に充填される充填物をさらに備える、請求項１ないし８のいずれかに記載の玩具。
【請求項１０】
前記充填物の素材はアクリルまたはポリエステルである、請求項９記載の玩具。
【請求項１１】
前記補強部材は板状部材である、請求項１ないし１０のいずれかに記載の玩具。
【請求項１２】
前記補強部材は角丸の多角形または円形に形成される、請求項１ないし１１のいずれかに記載の玩具。
【請求項１３】
前記第１素材は、前記ＩＣタグが前記補強部材に貼り付けられた状態で、当該ＩＣタグが折れ曲がるのを阻止する硬さを有する、請求項１ないし１２のいずれかに記載の玩具。
【請求項１４】
前記第１素材は、金属以外の素材である、請求項１ないし１３のいずれかに記載の玩具。
【請求項１５】
前記第１素材は、ＡＢＳ、アクリル、ポリエチレンテレフタレート、ポリスチレンまたはポリカーボネートを含む、請求項１ないし１４のいずれかに記載の玩具。
【請求項１６】
前記第２素材は、アクリル、ポリエステル、塩化ビニルまたはエラストマーを含む、請求項１ないし１５のいずれかに記載の玩具。
【請求項１７】
前記補強部材は、プラスチックにより形成される、請求項１ないし１６のいずれかに記載の玩具。
【請求項１８】
前記外被は、毛糸により形成される、請求項１ないし１７のいずれかに記載の玩具。
【請求項１９】
前記ＩＣタグの面のうち、当該ＩＣタグが前記補強部材に貼り付けられる面と反対側の面に、当該ＩＣタグを保護する保護部材をさらに設けた、請求項１ないし１８のいずれかに記載の玩具。
【請求項２０】
前記保護部材は、透明または半透明である、請求項１９記載の玩具。
【請求項２１】
ぬいぐるみ型の玩具であって、
ＩＣタグ、
前記ＩＣタグが貼り付けられ、少なくとも当該ＩＣタグより折れ曲がり難い硬さを有する第１素材で形成された補強部材、
前記補強部材を固定し、前記第１素材よりも柔らかい第２素材で形成された外被、および
前記外被の表側に固定される装飾部材を備え、
前記補強部材は、前記外被と前記装飾部材の間に挟むように固定される、玩具。
【請求項２２】
ＩＣタグ、
前記ＩＣタグを固定し、少なくとも当該ＩＣタグより折れ曲がり難い硬さを有する第１素材で形成された補強部材、および
前記補強部材を固定し、前記第１素材よりも軟らかい第２素材で少なくとも一部が形成された外被を備える、玩具。
【発明の詳細な説明】
【技術分野】
【０００１】
この発明は玩具に関し、特にたとえば、ＩＣタグを備える、玩具に関する。
【背景技術】
【０００２】
背景技術の一例が特許文献１に開示される。この特許文献１に開示されたゲーム装置は、上段の競争トラック上で競走する模型体を、下段走行面を走行する自走体で磁石の磁力を介して誘導して、模型体を競走させる２階建ての競走ゲーム装置である。模型体の下面にパッシブ型ＲＦＩＤタグが設けられ、また自走体の上面にパッシブ型ＲＦＩＤタグが設けられる。この競走ゲーム装置では、パッシブ型ＲＦＩＤタグから発信されるコード情報が受信され、自走体および模型体の位置が個別に検出され、模型体が自走体から適宜切り離され、あるいは結合される。
【先行技術文献】
【特許文献】
【０００３】
【特許文献１】特開２００２−３０６８３５号
【発明の概要】
【発明が解決しようとする課題】
【０００４】
しかし、この背景技術のようなゲーム装置の模型体では、少なくとも台座部分がプラスチックで形成されており、変形し難いため、外部からの力によってパッシブ型ＲＦＩＤタグが変形することがほとんどない。したがって、台座部分が比較的柔らかい材料で形成される場合については何ら考慮されていない。
【０００５】
それゆえに、この発明の主たる目的は、新規な、玩具を提供することである。
【０００６】
また、この発明の他の目的は、外被が比較的柔らかい素材で形成されても、ＩＣタグの破損を防止できる、玩具を提供することである。
【課題を解決するための手段】
【０００７】
第１の発明は、ぬいぐるみ型の玩具であって、ＩＣタグ、補強部材、および外被を備える、玩具である。補強部材には、ＩＣタグが貼り付けられる。また、この補強部材は、少なくとも当該ＩＣタグよりも折れ曲がり難い硬さを有する第１素材で形成される。外被は、補強部材を固定し、第１素材よりも柔らかい第２素材で形成される。補強部材は、この外被の裏側のうち、玩具を平面に置いた場合の当該玩具の設置面の裏側に固定される。
【０００８】
第１の発明によれば、ＩＣタグを補強部材に貼り付けるので、柔らかい素材の外被であっても、外部からの力によってＩＣタグが折れ曲がるのを防止することができる。つまり、ＩＣタグが破損するのを防止することができる。また、補強部材は、玩具を平面に置いた場合の当該玩具の設置面の裏側に固定されるので、ユーザは直感的に玩具の設置面をリーダライタに翳すように操作し、リーダライタとの間でＩＣタグのタグ情報を送受信することができる。
【０００９】
第２の発明は、第１の発明に従属し、玩具を平面に置いた場合の当該玩具の設置部分は、平面または略平面となるように形成される。
【００１０】
第２の発明によれば、玩具の平面をリーダライタの平面に接触さたせたり、置いたりして翳すので、ユーザは直感的に操作することができる。
【００１１】
第３の発明は、第１または第２の発明に従属し、補強部材は、玩具（ぬいぐるみ）の尻部の裏側に固定される。
【００１２】
第３の発明によれば、ぬいぐるみ型の玩具を座らせるように操作すれば、ＩＣタグのタグ情報を送受信することができる。したがって、ユーザは直感的に操作することができる。
【００１３】
第４の発明は、第１ないし第３の発明のいずれかに従属し、補強部材に対応する外被の表側に指標を設けた。
【００１４】
第４の発明によれば、指標を設けるので、タグ情報を送受信するために、ユーザがリーダライタに玩具を翳す場合に、指標が設けられた部分をリーダライタに向けたり、接触させたりするように誘導することができる。
【００１５】
第５の発明は、第４の発明に従属し、指標は外被に固定される別部材の装飾部材で形成される。
【００１６】
第５の発明によれば、別部材の装飾部材を設けるので、ユーザが指標として認識し易い。
【００１７】
第６の発明は、第５の発明に従属し、補強部材は、外被の裏側のうち、装飾部材が設けられる部分に接着される、請求項５記載の玩具。
【００１８】
第６の発明によれば、たとえば、ワッペンまたはアップリケのような装飾部材が設けられる場合には、補強部材を接着剤で固定する場合に、接着剤が外被の表側に漏れるのを防止することができる。
【００１９】
第７の発明は、第１ないし第６の発明にいずれかに従属し、外被の裏側に補強部材が固定され、当該補強部材の面のうち、外被に固定される場合に当該外被に対向する面と反対側の面にＩＣタグが貼り付けられる。
【００２０】
第７の発明によれば、補強部材の面のうち、ＩＣタグを外被に対向する面と反対側の面に貼り付けるので、ＩＣタグと玩具の表面の間に、少なくとも外被と補強部材が設けられるため、ＩＣタグが外部からの力を受けたり、外部から接触されたりするのが難しい構成にすることができる。
【００２１】
第８の発明は、第１ないし第７の発明のいずれかに従属し、ＩＣタグは粘着部材付きである。
【００２２】
第８の発明によれば、ＩＣタグを補強部材に貼り付けるだけなので、ＩＣタグの固定は簡単である。
【００２３】
第９の発明は、第１ないし第８の発明のいずれかに従属し、外被の内部に充填される充填物をさらに備える。
【００２４】
第９の発明によれば、外被の内部に充填物が充填されるぬいぐるみで玩具を構成することができる。
【００２５】
第１０の発明は、第９の発明に従属し、充填物の素材はアクリルまたはポリエステルで
ある。
【００２６】
第１１の発明は、第１ないし第１０の発明のいずれかに従属し、補強部材は板状部材である。
【００２７】
第１１の発明によれば、補強部材は板状部材であるので、ユーザの手で変形する玩具において、比較的硬い部分を出来る限り少なくすることができる。
【００２８】
第１２の発明は、第１ないし第１１の発明のいずれかに従属し、補強部材は角丸の多角形または円形に形成される。
【００２９】
第１２の発明によれば、補強部材によって外被が破れてしまうのを防止することができる。
【００３０】
第１３の発明は、第１ないし第１２の発明のいずれかに従属し、第１素材は、ＩＣタグが補強部材に貼り付けられた状態で、当該ＩＣタグが折れ曲がるのを阻止する硬さを有する。
【００３１】
第１３の発明によれば、ＩＣタグが折れ曲がるのを阻止するので、ＩＣタグが破損するのを防止することができる。
【００３２】
第１４の発明は、第１ないし第１３の発明のいずれかに従属し、第１素材は、金属以外の素材である。
【００３３】
第１４の発明によれば、ＩＣタグのタグ情報の送受信に影響せずに、ＩＣタグを補強することができる。
【００３４】
第１５の発明は、第１ないし第１４の発明のいずれかに従属し、第１素材は、ＡＢＳ、アクリル、ポリエチレンテレフタレート、ポリスチレンまたはポリカーボネートを含む。
【００３５】
第１６の発明は、第１ないし第１５の発明に従属し、第２素材は、アクリル、ポリエステル、塩化ビニルまたはエラストマーを含む。
【００３６】
第１７の発明は、第１ないし第１６の発明のいずれかに従属し、補強部材は、プラスチックにより形成される。
【００３７】
第１７の発明によれば、ＩＣタグのタグ情報の送受信に影響せずに、ＩＣタグを補強することができる。
【００３８】
第１８の発明は第１ないし第１７の発明のいずれかに従属し、外被は、毛糸により形成される。たとえば、玩具は、毛糸を編んで形成した外被を有するぬいぐるみ型の玩具である。
【００３９】
第１８の発明によれば、毛糸を用いた柔らかい玩具を提供することができる。
【００４０】
第１９の発明は、第１ないし第１９の発明のいずれかに従属し、玩具には保護部材がさらに設けられる。保護部材は、ＩＣタグの面のうち、当該ＩＣタグが補強部材に貼り付けられる面と反対側の面に設けられ、当該ＩＣタグを保護する。
【００４１】
第１９の発明によれば、ＩＣタグの面のうち、補強部材にはりつられた面と反対側の面
に保護部材を設けるので、この反対側の面から外部の力が加えられてもＩＣタグが破損するのを防止することができる。
【００４２】
第２０の発明は、第１９の発明に従属し、保護部材は、透明または半透明である。
【００４３】
第２０の発明によれば、保護部材は、透明または半透明であるため、ＩＣタグの表面に記載された情報が隠れるのを防止することができる。
【００４４】
第２１の発明は、ぬいぐるみ型の玩具であって、ＩＣタグ、ＩＣタグが貼り付けられ、少なくとも当該ＩＣタグより折れ曲がり難い硬さを有する第１素材で形成された補強部材、補強部材を固定し、第１素材よりも柔らかい第２素材で形成された外被、および外被の表側に固定される装飾部材を備え、補強部材は、外被と装飾部材の間に挟むように固定される、玩具である。
【００４５】
第２２の発明は、ＩＣタグ、ＩＣタグを固定し、少なくとも当該ＩＣタグより折れ曲がり難い硬さを有する第１素材で形成された補強部材、および補強部材を固定し、第１素材よりも軟らかい第２素材で少なくとも一部が形成された外被を備える、玩具である。
【００４６】
第２１および第２２の発明においても、第１の発明と同様に、ＩＣタグの破損を防止することができる。
【発明の効果】
【００４７】
この発明によれば、少なくともＩＣタグよりも折れ曲がり難い硬さを有する第１素材で形成された補強部材にＩＣタグを貼り付けるので、柔らかい第２素材で外被が形成されても、外部からの力によってＩＣタグが折れ曲がるのを防止することができる。したがって、ＩＣタグの破損を防止することができる。
【００４８】
この発明の上述の目的，その他の目的，特徴および利点は、図面を参照して行う以下の実施形態の詳細な説明から一層明らかとなろう。
【図面の簡単な説明】
【００４９】
【図１】図１はこの発明の限定しない一例である玩具の外観を左側から見た側面図である。
【図２】図２は図１に示す玩具の外観を示す図解図であって、図２（Ａ）は正面図であり、図２（Ｂ）は上面図であり、図２（Ｃ）は下面図であり、そして、図２（Ｄ）は背面図である。
【図３】図３は図１に示す玩具のIII−III断面図である。
【図４】図４（Ａ）は図３の一部を拡大した拡大図であり、図４（Ｂ）は図４（Ａ）に示す限定しない一例の補強部材およびこの補強部材に貼り付けられた限定しない一例のＩＣタグをＩＣタグ側から見た図解図である。
【図５】図５（Ａ）は図４（Ｂ）に示すＩＣタグの一方の面（タグ面）を示す図解図であり、図５（Ｂ）はこのＩＣタグを他方の面（ラベル面）を示す図解図である。
【図６】図６は他の実施例の玩具の断面の一部を拡大した断面図である。
【発明を実施するための形態】
【００５０】
図１はこの発明の一実施例である玩具１０は、ぬいぐるみ型の玩具ないし人形であり、人間、人間以外の動物、ゲームキャラクタ、アニメキャラクタなどを模した外観を有するぬいぐるみ１２を含む。この実施例では、ぬいぐるみ１２は、座った状態の像を模した外観を有している。ぬいぐるみ１２は、頭部（鼻および耳を含む）３０、胴体部３２、脚部３４および尻尾部３６で構成され、胴体部３２の尻に相当する部分（尻部）３２ａが平坦
面または略平坦面で形成される。したがって、玩具１０を平面に置くと、図１に示すように、ぬいぐるみ１２を当該平面に座らせることができる。つまり、玩具１０（ぬいぐるみ１２）の設置部分は、平坦または略平坦となるように形成される。
【００５１】
また、ぬいぐるみ１２は、外被１２０を有し、後述するように、外被１２０の内部に充填材１２２が入れられる（充填される）。
【００５２】
たとえば、外被１２０は毛糸を編むことにより形成される。毛糸の素材は、アクリルまたはポリエステル或いは混紡糸などである。また、充填材１２２は、典型的には綿であり、その素材はアクリルまたはポリエステルである。この充填材１２２によって、毛糸で形成される外被１２０の外観形状が維持される。つまり、玩具１０（ぬいぐるみ１２）が、像を模した外観形状で維持される。
【００５３】
ただし、外被１２０は、すべて毛糸で形成される必要は無く、一部が毛糸以外で形成されてもよい。たとえば、玩具１０（ぬいぐるみ１２）の目または／および尻尾部３６は、フエルトで形成されてもよい。または、目は、ボタンで形成されてもよい。
【００５４】
図２（Ａ）は図１に示す玩具１０を正面から見た正面図であり、図２（Ｂ）は図１に示す玩具１０を上面から見た上面図であり、図２（Ｃ）は図１に示す玩具１０を下面から見た下面図であり、そして、図２（Ｄ）は図１に示す玩具１０を背面から見た背面図である。
【００５５】
図２（Ａ）〜図２（Ｃ）に示すように、この実施例では、外被１２０は、左側の部材１２０ａと右側の部材１２０ｂで構成され、部材１２０ａと部材１２０ｂとは縫い合わされている。ただし、部材１２０ａと部材１２０ｂとは、別々に用意する必要はなく、一部が連結された一つの部材であってもよい。たとえば、部材１２０ａと部材１２０ｂが連結される一部としては、頭部３０の一部または胴体部３２（腹部３２ｂまたは背中３２ｃ）の一部が該当する。
【００５６】
また、図２（Ｄ）から良く分かるように、尻尾部３６の近傍であり、像の尻部３２ａには、ワッペンまたはアップリケと呼ばれる部材（装飾部材）１４が外被１２０の表側（表面）に設けられる（縫い付けられる）。ただし、装飾部材１４は、外被１２０に直接刺繍が施されたものでも良い。装飾部材１４は、玩具１０をリーダライタに翳す場合に、翳す位置をユーザに示すための指標として機能する。たとえば、装飾部材１４には、玩具１０の製造元の名称および／または玩具１０の名称や総称などが記載される。
【００５７】
図３は図２（Ａ）のIII−III断面図である。この図３に示すように、外被１２０（玩具１０）の内部には、充填材１２２が充填される。また、玩具１０の内部であり、外被１２０の裏側（裏面）には、装飾部材１４に対応する位置に補強部材１６が固定される（設けられる）。つまり、玩具１０を平面に置いた場合の載置面（尻部３２ａに設けられる装飾部材１４の表面）の裏側に補強部材１６が固定される。たとえば、補強部材１６は、接着剤（ホットボンド）で外被１２０の裏側に貼り付けられる。また、玩具１０はＩＣタグ１８を含み、このＩＣタグ１８は補強部材１６に固定される。したがって、ＩＣタグ１８は、外被１２０の裏側ないし内部に設けられる。このため、ユーザがＩＣタグ１８に直接触れることはない。
【００５８】
このように、補強部材１６は、装飾部材１４に対応する位置に、外被１２０の裏側から接着されるので、装飾部材１４によって接着剤が玩具１０の表面に染み出すのを防止することができる。装飾部材１４は、補強部材１６と同程度の大きさであり、この実施例では、装飾部材１４は補強部材１６よりも少し大きい。したがって、接着剤が装飾部材１４か
らはみ出すことが防止される。
【００５９】
図４（Ａ）は図３に示す玩具１０の一部（点線で囲んだ部分）を拡大した拡大図であり、図３の点線で囲む範囲を示す。図４（Ｂ）は、補強部材１６およびこの補強部材１６に貼り付けられたＩＣタグ１８を、このＩＣタグ１８側から見た図である。なお、図４（Ａ）では、接着剤および後述する粘着部材は省略してある。
【００６０】
図４（Ａ）から分かるように、この実施例では、外被１２０の表側に装飾部材１４が貼り付けられ、この装飾部材１４に対応する位置であり、外被１２０の裏側に補強部材１６が接着される。つまり、玩具１０を外側または内側から見た場合に、装飾部材１４と補強部材１６は重なるように配置されている。
【００６１】
また、図４（Ａ）および図４（Ｂ）から分かるように、補強部材１６は円板状に形成され、ＩＣタグ１８は円形のシート状に形成され、補強部材１６はＩＣタグ１８よりもやや大きく形成される。ただし、図４（Ａ）では（図３も同様）、分かり易くするために、ＩＣタグ１８の厚みを補強部材１６の厚みと同程度で示してあるが、実際には、ＩＣタグ１８は補強部材１６よりも薄い。以下、同様である。また、補強部材１６およびＩＣタグ１８の形状は、多角形でもよい。かかる場合には、補強部材１６は角丸に形成される。これは、玩具１０を使用した場合に、補強部材１６の角が外被１２０に当たり、外被１２０が破れてしまうのを防止するためである。また、補強部材１６は円板状（板状部材）であるため、ＩＣタグ１８の破損を防止しつつ、ぬいぐるみ１２のように変形可能な玩具１０において、硬い部分を出来る限り少なくすることができる。
【００６２】
補強部材１６は、金属以外の素材であり、少なくともＩＣタグ１８より折れ曲がり難い硬さ、または、ＩＣタグ１８が折れ曲がるのを阻止する硬さを有している素材で形成される。したがって、補強部材１６は、外被１２０よりも硬い。この実施例では、補強部材１６はプラスチック板であり、その素材としては、ＡＢＳ（ＡＢＳ樹脂：アクリロニトリル、ブタジエン、スチレン共重合合成樹脂の総称）、アクリル、ＰＥＴ（ポリエチレンテレフタレート）、ＰＳ（ポリスチレン）、ＰＣ（ポリカーボネート）などが採用される。このように、補強部材１６を金属以外の素材で形成するのは、リーダライタとＩＣタグ１８の間でタグ情報を送受信する場合に、磁界が変化してしまい、その送受信に影響を及ぼすのを回避するためである。また、補強部材１６は、少なくともＩＣタグ１８より折れ曲がり難くするために設けられるため、仮にユーザが曲げようとしても、簡単に折れ曲がったり、簡単に割れたりしない強度を有する。
【００６３】
ＩＣタグ１８は、汎用のパッシブ型のＲＦＩＤタグであり、図５（Ａ）に示すように、ＩＣチップ１８ａ、これに連結されるアンテナ１８ｂが絶縁性の基材（たとえば、紙または合成樹脂）１８ｃ上に設けられる。ＩＣチップ１８ａおよびアンテナ１８ｂが設けられるＩＣタグ１８の一方の面（タグ面）では、少なくとも、ＩＣチップ１８ａおよびアンテナ１８ｂが保護膜（図示せず）で覆われる。また、図示は省略するが、この実施例のＩＣタグ１８は、ラベルシール型のＩＣタグであり、タグ面には、保護膜の表面（ＩＣチップ１８ａおよびアンテナ１８ｂ側と反対側の面）に粘着部材（たとえば、接着用の糊）が設けられる（塗布される）。したがって、ＩＣタグ１８は、粘着部材によって補強部材１６に貼り付けられる。また、図５（Ｂ）に示すように、ＩＣチップ１８ａおよびアンテナ１８ｂが設けられていないＩＣタグ１８の他方の面（ラベル面）には、タグ情報またはタグ情報に関連する情報（記載情報）が記載される。ここでは、記載情報の一例として、玩具１０（ぬいぐるみ）の種類（像）とその色（水色）が記述される。
【００６４】
上記のとおり、ＩＣタグ１８は補強部材１６に貼り付けられるが、図４（Ａ）に示すように、ＩＣタグ１８と玩具１０の表面（外側）の間には、補強部材１６、外被１２０およ
び装飾部材１４が設けられるため、外部からの力が加わり難く、外部からＩＣタグ１８に触れるのも困難である。つまり、ＩＣタグ１８は破損し難い位置に設けられる。
【００６５】
また、ＩＣタグ１８のラベル面は、タグ面の反対側の面であるため、ＩＣタグ１８が補強部材１６に貼り付けられても、図４（Ｂ）に示すように、このラベル面に記載された記載情報を視認することができる。また、補強部材１６では、ＩＣタグ１８が貼り付けられていない面が外被１２０の裏側に貼り付けられるため、補強部材１６が外被１２０に貼り付けられても、補強部材１６に貼り付けられたＩＣタグ１８のラベル面に記載された記載情報を視認することができる。
【００６６】
ただし、いずれの場合も、外被１２０の内部を見ることができる状況であり、その内部を見ることができない状況では、ＩＣタグ１８自体を見ることはできない。
【００６７】
また、図示は省略するが、ＩＣタグ１８のラベル面には、少なくともＩＣタグ１８を覆うように、保護部材が設けられてもよい。たとえば、保護部材は、透明または半透明のホットボンドを或る程度の厚みを有するように、ＩＣタグ１８に塗り付けたものである。他の実施例では、保護部材として、透明または半透明のプラスチック製のシールを用いることもできる。また、その他の実施例では、透明または半透明の補強部材１６を２枚用意し、２枚の補強部材１６の間にＩＣタグ１８を設けるようにしてもよい。
【００６８】
このように、保護部材を設けた場合には、後述するように、充填材１２２を充填する場合に外被１２０の内部に挿し込まれる管がＩＣタグ１８に当たったり、ＩＣタグ１８を擦ったりしても、ＩＣタグ１８が破損するのを出来る限り防止することができる。また、透明または半透明の保護部材を設けるのは、上述した記載情報が隠れないようにするためである。
【００６９】
たとえば、上記のような玩具１０を製造する場合には、まず、外被１２０の裏側が外側に向けられた状態となるように、部材１２０ａと部材１２０ｂがその一部を除いて縫合される。たとえば、胴体部３２の腹部３２ｂまたは背中３２ｃのうち、尻部３２ａに近い部分を除いて、部材１２０ａと部材１２０ｂが縫合される。次に、部材１２０ａと部材１２０ｂの縫い代が裏側になるように、外被１２０を裏返して、外被１２０の表側が外側に向けられる。続いて、外被１２０の表側であり、尻部３２ａに、装飾部材１４が縫い付けられる。さらに、部材１２０ａと部材１２０ｂが縫合されていない上記の一部（説明の都合上、以下、「未縫合部」という）から、ＩＣタグ１８を貼り付けた補強部材１６が外被１２０の内部に入れられる。そして、補強部材１６が、装飾部材１４に対応する位置であり、外被１２０の裏側に接着材で固定（接着）される。このとき、補強部材１６のＩＣタグ１８が貼り付けられていない面が外被１２０の裏側に接着される。その後、未縫合部から綿入れ用の管が通され、綿入れが行われる。綿入れが終了すると、未縫合部が外被１２０の表側から縫合される。
【００７０】
ただし、綿入れ用の管が細く、この管が外被１２０の編み目を通る場合には、未縫合部が外被１２０の表側から縫合された後に、綿入れが行われても良い。
【００７１】
このような玩具１０は、リーダライタに翳されると、タグ情報が読み出されたり、ホストコンピュータからの指示に従ってタグ情報が書き換えられたりする。たとえば、リーダライタは、ゲーム装置などの情報処理装置に設けられ、ユーザが情報処理装置を把持したときに、または、情報処理装置が机上などの平面に置かれたときに、その正面側ないし上面側からＩＣタグ１８のタグ情報を読み取れるような位置に配置される。また、ＩＣタグ１８は、近距離（周波数帯によって数ｃｍ〜数ｍ）で無線通信することによってタグ情報を送受信する。このため、ユーザは玩具１０をリーダライタに接触させるように翳す。た
だし、玩具１０はリーダライタ上に置かれることもある。
【００７２】
この実施例では、玩具１０（ぬいぐるみ１２）は像を模した外観であり、この像の尻部３２ａを平坦面ないし略平坦面で形成したことにより、像を座らせることができる。また、像の尻部３２ａには装飾部材１４が設けられる。したがって、ユーザは、玩具１０をリーダライタに翳す場合に、直感的に、像の尻部３２ａをリーダライタに向けると考えられる。つまり、ぬいぐるみ１２の外観形状や装飾部材１４によって、ユーザは玩具１０の平坦面（ぬいぐるみ１２の尻部３２ａ）をリーダライタに向けるように誘導される。この点において、装飾部材１４は、玩具１０をリーダライタに翳す場合の指標として機能する。また、この装飾部材１４は、外被１２０とは別部材で形成されるため、ユーザは装飾部材１４（指標）を認識し易い。さらに、装飾部材１４は、ぬいぐるみ１２の尻部３２ａに設けられるので、玩具１０を平面に置いた場合に、この装飾部材１４を視認することができない。このため、玩具１０（ぬいぐるみ１２）のデザインに影響を与えない。すなわち、ＩＣタグ１８の位置をユーザに明確に認識させることができるとともに、玩具１０の外観（デザイン）に影響を及ぼさないようにすることができる。
【００７３】
このように、玩具１０はリーダライタに翳すように使用され、ＩＣタグ１８はリーダライタと近距離で無線通信する。したがって、安定して通信させるためには、ＩＣタグ１８は、リーダライタと或る程度の距離を保ちながら、安定した姿勢で玩具１０に配置される必要がある。したがって、上述したように、この実施例では、ＩＣタグ１８は、平坦面または略平坦面で形成される像の尻部３２ａであり、外被１２０の裏側に貼り付けられる。
【００７４】
ただし、玩具１０が比較的大きいものであれば、玩具１０をリーダライタに翳す場合に、像の尻部３２ａをリーダライタに向けるよりも、他の部分（たとえば、脚の裏）を向けた方が玩具１０を翳し易い場合がある。かかる場合には、像の尻部３２ａに代えて、脚部３４のうち、脚の裏に相当する部分にＩＣタグ１８を設けるようにしてもよい。したがって、この場合には、脚の裏に相当する部分であり、ＩＣタグ１８が設けられる位置に対応する位置に、装飾部材１４が設けられる。
【００７５】
この実施例によれば、ぬいぐるみ型の玩具において、少なくともＩＣタグよりも折れ曲がり難い硬さを有する素材で形成された補強部材にこのＩＣタグを貼り付けるので、比較的柔らかい素材の外被であっても、ＩＣタグが外部からの力によって折れ曲がり難くすることができる。したがって、ＩＣチップが破壊されたり、アンテナが切断されたりするのを防止することができる。つまり、ＩＣタグが破損するのを防止することができる。
【００７６】
なお、この実施例では、ＩＣタグが貼り付けられた補強部材が外被の裏側に接着されるようにしたが、これに限定される必要はない。たとえば、図６に示すように、ＩＣタグ１８が貼り付けられた補強部材１６は、外被１２０と装飾部材１４の間に設ける（固定する）ようにしてもよい。かかる場合にも、ＩＣタグ１８は補強部材１６に貼り付けられ、装飾部材１４の裏側に設けられるため、ＩＣタグ１８が破損するのを防止することができる。また、装飾部材１４と補強部材１６は同程度の大きさであり、装飾部材１４は外被１２０に縫い付けられるため、この場合には、補強部材１６を外被１２０や装飾部材１４に接着しなくても、外被１２０と装飾部材１４の間で安定して配置することができる。
【００７７】
また、この実施例では、保護部材は、ＩＣタグが貼り付けられていない面を外被に接着するようにしたが、ＩＣタグが貼り付けられた面を外被に接着するようにしてもよい。このようにしても、ＩＣタグは接着剤と補強部材の間に挟まれて固定されるため、ＩＣタグが破損するのを防止することができる。ただし、記載情報を視認可能とするためには、ＩＣタグのラベル面に粘着部材を設けて、このラベル面側を補強部材に接着するとともに、透明または半透明の補強部材を用いる必要がある。
【００７８】
さらに、この実施例では、外被をアクリル等の素材の毛糸で形成するようにしたが、外被は塩化ビニルまたはエラストマーなどの素材で形成されてもよい。かかる場合には、外被はそれ自体で外観形状を維持することができるため、その内部に綿などの充填材を入れる必要がない。ただし、この場合には、外被の内部に入っている空気が充填材に相当する。
【００７９】
さらにまた、この実施例では、補強部材は少なくともＩＣタグよりも折れ曲がり難い素材で形成するようにしたが、これに限定される必要はない。たとえば、補強部材は、ＩＣタグの基材の素材と同じ素材で形成され、補強部材の全体として、少なくともＩＣタグよりも折れ曲がり難く形成されてもよい。つまり、補強部材は、ＩＣタグの基材と同じ素材のシートを複数枚重ね合わせて形成される。または、補強部材は、ＩＣタグの基材と同じ素材のシートの厚みを大きくして形成される。或いは、補強部材は、ＩＣタグの基材と同じ素材のシートの厚みを大きくするとともに、そのシートを複数枚重ね合わせることにより、形成される。
【００８０】
また、この実施例では、補強部材を外被に接着するようにしたが、補強部材の固定方法は限定される必要はない。たとえば、補強部材の一部に孔を設けて、外被に縫い付けても良い。このようにした場合には、外被の平坦面でない部分でも、補強部材を固定することができる。
【００８１】
さらに、この実施例では、別部品の装飾部材が外被の表面に設けられるようにしたが、これに限定される必要はない。装飾部材に代えて、外被の尻部に指標となる模様を付すようにしてもよい。
【００８２】
さらにまた、この実施例では、ＩＣタグを補強部材に貼り付けるようにしたがこれに限定される必要はない。補強部材を用いずに、ＩＣタグよりも折れ曲がり難い素材で形成されたコイン形状または円盤形状のケースでＩＣタグを覆っているコイン型のＩＣタグを、外被の裏側に固定（接着）するようにしてもよい。または、このコイン型のＩＣタグを、装飾部材と外被の間に設ける（固定する）ようにしてもよい。このコイン型のＩＣタグでは、ケースが補強部材として機能する。
【符号の説明】
【００８３】
１０  …玩具（ぬいぐるみ型の玩具）
１２  …ぬいぐるみ
１４  …装飾部材
１６  …補強部材
１８  …ＩＣタグ
１２０  …外被
１２２  …充填材
【図１】
2020078592.tif 000003
【図２】
2020078592.tif 000004
【図３】
2020078592.tif 000005
【図４】
2020078592.tif 000006
【図５】
2020078592.tif 000007
【図６】
2020078592.tif 000008
【手続補正書】
【提出日】令和2年3月12日(2020.3.12)
【手続補正１】
【補正対象書類名】明細書
【補正対象項目名】０００７
【補正方法】変更
【補正の内容】
【０００７】
第１の発明は、平面に載置されるデザインであり、かつ、ユーザによって把持されて外部の情報処理装置に翳されることで近距離無線通信を行うぬいぐるみ型の玩具であって、ぬいぐるみと、指標と、ＩＣタグとを備える、玩具である。指標は、ぬいぐるみの表面であって、玩具が平面に載置された状態にあるときに当該平面に対向することで外方から視認できない領域に設けられる。
ＩＣタグは、指標の裏側であって、当該指標を向けて情報処理装置に玩具を翳すことで通信可能な位置に設けられる。
【手続補正２】
【補正対象書類名】明細書
【補正対象項目名】０００８
【補正方法】変更
【補正の内容】
【０００８】
第１の発明によれば、ＩＣタグの位置を示す指標をぬいぐるみを載置したときに見えない領域に設けることにより、通常は載置されて飾られるぬいぐるみのデザインに影響を与えず、一方で、ぬいぐるみを情報処理装置に翳す場合には、指標によって、ＩＣタグの位置を容易に認識することができる。
【手続補正３】
【補正対象書類名】明細書
【補正対象項目名】０００９
【補正方法】変更
【補正の内容】
【０００９】
第２の発明は、第１の発明に従属し、玩具の表面は、ぬいぐるみの外被と、指標を含む装飾部材とを含み、当該外被と当該装飾部材とは異なる部材で形成される。
【手続補正４】
【補正対象書類名】明細書
【補正対象項目名】００１０
【補正方法】削除
【補正の内容】
【手続補正５】
【補正対象書類名】明細書
【補正対象項目名】００１１
【補正方法】変更
【補正の内容】
【００１１】
第３の発明は、第１または第２の発明に従属し、装飾部材は、玩具の表面であって、当該玩具が平面に載置された状態にあるときに、当該平面に対向することで外方から視認することができない領域に設けられ、玩具の表面の領域において、装飾部材の周囲に位置するぬいぐるみの外被は、当該装飾部材とは異なる部材で形成される。
【手続補正６】
【補正対象書類名】明細書
【補正対象項目名】００１２
【補正方法】削除
【補正の内容】
【手続補正７】
【補正対象書類名】明細書
【補正対象項目名】００１３
【補正方法】変更
【補正の内容】
【００１３】
第４の発明は、第１から第３の発明までのいずれかに従属し、玩具の表面であって、当該玩具が平面に載置された状態にあるときに、当該平面に対向することで外方から視認することができない領域のうち、指標を含む部分は、平面または略平面となるように形成される。
【手続補正８】
【補正対象書類名】明細書
【補正対象項目名】００１４
【補正方法】削除
【補正の内容】
【手続補正９】
【補正対象書類名】明細書
【補正対象項目名】００１５
【補正方法】変更
【補正の内容】
【００１５】
第５の発明は、第１から第４の発明までのいずれかに従属し、玩具は、ＩＣタグが貼り付けられる補強部材を含み、当該補強部材は玩具の他の部分よりも硬い。
【手続補正１０】
【補正対象書類名】明細書
【補正対象項目名】００１６
【補正方法】削除
【補正の内容】
【手続補正１１】
【補正対象書類名】明細書
【補正対象項目名】００１７
【補正方法】変更
【補正の内容】
【００１７】
第６の発明は、第１から第５の発明までのいずれかに従属し、補強部材は指標の裏側に固定され、当該補強部材の面のうち、当該指標に対向する面とは反対側の面にＩＣタグが貼り付けられる。
【手続補正１２】
【補正対象書類名】明細書
【補正対象項目名】００１８
【補正方法】削除
【補正の内容】
【手続補正１３】
【補正対象書類名】明細書
【補正対象項目名】００１９
【補正方法】削除
【補正の内容】
【手続補正１４】
【補正対象書類名】明細書
【補正対象項目名】００２０
【補正方法】削除
【補正の内容】
【手続補正１５】
【補正対象書類名】明細書
【補正対象項目名】００２１
【補正方法】削除
【補正の内容】
【手続補正１６】
【補正対象書類名】明細書
【補正対象項目名】００２２
【補正方法】削除
【補正の内容】
【手続補正１７】
【補正対象書類名】明細書
【補正対象項目名】００２３
【補正方法】削除
【補正の内容】
【手続補正１８】
【補正対象書類名】明細書
【補正対象項目名】００２４
【補正方法】削除
【補正の内容】
【手続補正１９】
【補正対象書類名】明細書
【補正対象項目名】００２５
【補正方法】削除
【補正の内容】
【手続補正２０】
【補正対象書類名】明細書
【補正対象項目名】００２６
【補正方法】削除
【補正の内容】
【手続補正２１】
【補正対象書類名】明細書
【補正対象項目名】００２７
【補正方法】削除
【補正の内容】
【手続補正２２】
【補正対象書類名】明細書
【補正対象項目名】００２８
【補正方法】削除
【補正の内容】
【手続補正２３】
【補正対象書類名】明細書
【補正対象項目名】００２９
【補正方法】削除
【補正の内容】
【手続補正２４】
【補正対象書類名】明細書
【補正対象項目名】００３０
【補正方法】削除
【補正の内容】
【手続補正２５】
【補正対象書類名】明細書
【補正対象項目名】００３１
【補正方法】削除
【補正の内容】
【手続補正２６】
【補正対象書類名】明細書
【補正対象項目名】００３３
【補正方法】削除
【補正の内容】
【手続補正２７】
【補正対象書類名】明細書
【補正対象項目名】００３４
【補正方法】削除
【補正の内容】
【手続補正２８】
【補正対象書類名】明細書
【補正対象項目名】００３５
【補正方法】削除
【補正の内容】
【手続補正２９】
【補正対象書類名】明細書
【補正対象項目名】００３６
【補正方法】削除
【補正の内容】
【手続補正３０】
【補正対象書類名】明細書
【補正対象項目名】００３７
【補正方法】削除
【補正の内容】
【手続補正３１】
【補正対象書類名】明細書
【補正対象項目名】００３８
【補正方法】削除
【補正の内容】
【手続補正３２】
【補正対象書類名】明細書
【補正対象項目名】００３９
【補正方法】削除
【補正の内容】
【手続補正３３】
【補正対象書類名】明細書
【補正対象項目名】００４０
【補正方法】変更
【補正の内容】
【００４０】
第７の発明は、第６の発明に従属し、玩具には保護部材がさらに設けられる。保護部材は、ＩＣタグの面のうち、当該ＩＣタグが補強部材に貼り付けられる面と反対側の面に設けられ、当該ＩＣタグを保護する。
【手続補正３４】
【補正対象書類名】明細書
【補正対象項目名】００４１
【補正方法】変更
【補正の内容】
【００４１】
第７の発明によれば、ＩＣタグの面のうち、補強部材にはりつられた面と反対側の面に保護部材を設けるので、この反対側の面から外部の力が加えられてもＩＣタグが破損するのを防止することができる。
【手続補正３５】
【補正対象書類名】明細書
【補正対象項目名】００４２
【補正方法】変更
【補正の内容】
【００４２】
第８の発明は、第７の発明に従属し、保護部材は、透明または半透明である。
【手続補正３６】
【補正対象書類名】明細書
【補正対象項目名】００４３
【補正方法】変更
【補正の内容】
【００４３】
第８の発明によれば、保護部材は、透明または半透明であるため、ＩＣタグの表面に記載された情報が隠れるのを防止することができる。
【手続補正３７】
【補正対象書類名】明細書
【補正対象項目名】００４４
【補正方法】削除
【補正の内容】
【手続補正３８】
【補正対象書類名】明細書
【補正対象項目名】００４５
【補正方法】削除
【補正の内容】
【手続補正３９】
【補正対象書類名】明細書
【補正対象項目名】００４６
【補正方法】削除
【補正の内容】
【手続補正４０】
【補正対象書類名】明細書
【補正対象項目名】００４９
【補正方法】変更
【補正の内容】
【００４９】
【図１】図１はこの発明の限定しない一例である玩具の外観を左側から見た側面図である。
【図２】図２は図１に示す玩具の外観を示す図解図であって、図２（Ａ）は正面図であり、図２（Ｂ）は上面図であり、図２（Ｃ）は下面図であり、そして、図２（Ｄ）は背面図である。
【図３】図３は図２（Ａ）に示す玩具のIII−III断面図である。
【図４】図４（Ａ）は図３の一部を拡大した拡大図であり、図４（Ｂ）は図４（Ａ）に示す限定しない一例の補強部材およびこの補強部材に貼り付けられた限定しない一例のＩＣタグをＩＣタグ側から見た図解図である。
【図５】図５（Ａ）は図４（Ｂ）に示すＩＣタグの一方の面（タグ面）を示す図解図であり、図５（Ｂ）はこのＩＣタグの他方の面（ラベル面）を示す図解図である。
【図６】図６は他の実施例の玩具の断面の一部を拡大した断面図である。
【手続補正４１】
【補正対象書類名】明細書
【補正対象項目名】００５０
【補正方法】変更
【補正の内容】
【００５０】
図１はこの発明の一実施例である玩具１０は、ぬいぐるみ型の玩具ないし人形であり、人間、人間以外の動物、ゲームキャラクタ、アニメキャラクタなどを模した外観を有するぬいぐるみ１２を含む。この実施例では、ぬいぐるみ１２は、座った状態の象を模した外観を有している。ぬいぐるみ１２は、頭部（鼻および耳を含む）３０、胴体部３２、脚部３４および尻尾部３６で構成され、胴体部３２の尻に相当する部分（尻部）３２ａが平坦面または略平坦面で形成される。したがって、玩具１０を平面に置くと、図１に示すように、ぬいぐるみ１２を当該平面に座らせることができる。つまり、玩具１０（ぬいぐるみ１２）の設置部分は、平坦または略平坦となるように形成される。
【手続補正４２】
【補正対象書類名】明細書
【補正対象項目名】００５２
【補正方法】変更
【補正の内容】
【００５２】
たとえば、外被１２０は毛糸を編むことにより形成される。毛糸の素材は、アクリルまたはポリエステル或いは混紡糸などである。また、充填材１２２は、典型的には綿であり、その素材はアクリルまたはポリエステルである。この充填材１２２によって、毛糸で形成される外被１２０の外観形状が維持される。つまり、玩具１０（ぬいぐるみ１２）が、象を模した外観形状で維持される。
【手続補正４３】
【補正対象書類名】明細書
【補正対象項目名】００５６
【補正方法】変更
【補正の内容】
【００５６】
また、図２（Ｄ）から良く分かるように、尻尾部３６の近傍であり、象の尻部３２ａには、ワッペンまたはアップリケと呼ばれる部材（装飾部材）１４が外被１２０の表側（表面）に設けられる（縫い付けられる）。ただし、装飾部材１４は、外被１２０に直接刺繍が施されたものでも良い。装飾部材１４は、玩具１０をリーダライタに翳す場合に、翳す位置をユーザに示すための指標として機能する。たとえば、装飾部材１４には、玩具１０の製造元の名称および／または玩具１０の名称や総称などが記載される。
【手続補正４４】
【補正対象書類名】明細書
【補正対象項目名】００６３
【補正方法】変更
【補正の内容】
【００６３】
ＩＣタグ１８は、汎用のパッシブ型のＲＦＩＤタグであり、図５（Ａ）に示すように、ＩＣチップ１８ａ、これに連結されるアンテナ１８ｂが絶縁性の基材（たとえば、紙または合成樹脂）１８ｃ上に設けられる。ＩＣチップ１８ａおよびアンテナ１８ｂが設けられるＩＣタグ１８の一方の面（タグ面）では、少なくとも、ＩＣチップ１８ａおよびアンテナ１８ｂが保護膜（図示せず）で覆われる。また、図示は省略するが、この実施例のＩＣタグ１８は、ラベルシール型のＩＣタグであり、タグ面には、保護膜の表面（ＩＣチップ１８ａおよびアンテナ１８ｂ側と反対側の面）に粘着部材（たとえば、接着用の糊）が設けられる（塗布される）。したがって、ＩＣタグ１８は、粘着部材によって補強部材１６に貼り付けられる。また、図５（Ｂ）に示すように、ＩＣチップ１８ａおよびアンテナ１８ｂが設けられていないＩＣタグ１８の他方の面（ラベル面）には、タグ情報またはタグ情報に関連する情報（記載情報）が記載される。ここでは、記載情報の一例として、玩具１０（ぬいぐるみ１２）の種類（象）とその色（水色）が記述される。
【手続補正４５】
【補正対象書類名】明細書
【補正対象項目名】００７２
【補正方法】変更
【補正の内容】
【００７２】
この実施例では、玩具１０（ぬいぐるみ１２）は象を模した外観であり、この象の尻部３２ａを平坦面ないし略平坦面で形成したことにより、象を座らせることができる。また、象の尻部３２ａには装飾部材１４が設けられる。したがって、ユーザは、玩具１０をリーダライタに翳す場合に、直感的に、象の尻部３２ａをリーダライタに向けると考えられる。つまり、ぬいぐるみ１２の外観形状や装飾部材１４によって、ユーザは玩具１０の平坦面（ぬいぐるみ１２の尻部３２ａ）をリーダライタに向けるように誘導される。この点において、装飾部材１４は、玩具１０をリーダライタに翳す場合の指標として機能する。また、この装飾部材１４は、外被１２０とは別部材で形成されるため、ユーザは装飾部材１４（指標）を認識し易い。さらに、装飾部材１４は、ぬいぐるみ１２の尻部３２ａに設けられるので、玩具１０を平面に置いた場合に、この装飾部材１４を視認することができない。このため、玩具１０（ぬいぐるみ１２）のデザインに影響を与えない。すなわち、ＩＣタグ１８の位置をユーザに明確に認識させることができるとともに、玩具１０の外観（デザイン）に影響を及ぼさないようにすることができる。
【手続補正４６】
【補正対象書類名】明細書
【補正対象項目名】００７３
【補正方法】変更
【補正の内容】
【００７３】
このように、玩具１０はリーダライタに翳すように使用され、ＩＣタグ１８はリーダライタと近距離で無線通信する。したがって、安定して通信させるためには、ＩＣタグ１８は、リーダライタと或る程度の距離を保ちながら、安定した姿勢で玩具１０に配置される必要がある。したがって、上述したように、この実施例では、ＩＣタグ１８は、平坦面または略平坦面で形成される象の尻部３２ａであり、外被１２０の裏側に貼り付けられる。
【手続補正４７】
【補正対象書類名】明細書
【補正対象項目名】００７４
【補正方法】変更
【補正の内容】
【００７４】
ただし、玩具１０が比較的大きいものであれば、玩具１０をリーダライタに翳す場合に、象の尻部３２ａをリーダライタに向けるよりも、他の部分（たとえば、脚の裏）を向けた方が玩具１０を翳し易い場合がある。かかる場合には、象の尻部３２ａに代えて、脚部３４のうち、脚の裏に相当する部分にＩＣタグ１８を設けるようにしてもよい。したがって、この場合には、脚の裏に相当する部分であり、ＩＣタグ１８が設けられる位置に対応する位置に、装飾部材１４が設けられる。
【手続補正４８】
【補正対象書類名】特許請求の範囲
【補正対象項目名】全文
【補正方法】変更
【補正の内容】
【特許請求の範囲】
【請求項１】
平面に載置されるデザインであり、かつ、ユーザによって把持されて外部の情報処理装置に翳されることで近距離無線通信を行うぬいぐるみ型の玩具であって、
ぬいぐるみと、
前記ぬいぐるみの外観と区別して視認可能な指標と、
近距離無線通信を行うＩＣタグと、を備え、
前記指標は、前記ぬいぐるみの表面であって、前記玩具が前記平面に載置された状態にあるときに当該平面に対向することで外方から視認できない領域に設けられ、
前記ＩＣタグは、前記指標の裏側であって、当該指標を向けて前記情報処理装置に前記玩具を翳すことで通信可能な位置に設けられる、玩具。
【請求項２】
前記玩具の表面は、前記ぬいぐるみの外被と、前記指標を含む装飾部材とを含み、当該外被と当該装飾部材とは異なる部材で形成される、請求項１記載の玩具。
【請求項３】
前記装飾部材は、前記玩具の表面であって、当該玩具が前記平面に載置された状態にあるときに、当該平面に対向することで外方から視認することができない前記領域に設けられ、
前記玩具の表面の前記領域において、前記装飾部材の周囲に位置する前記ぬいぐるみの外被は、当該装飾部材とは異なる部材で形成される、請求項１または２記載の玩具。
【請求項４】
前記玩具の表面であって、当該玩具が前記平面に載置された状態にあるときに、当該平面に対向することで外方から視認することができない前記領域のうち、前記指標を含む部分は、平面または略平面となるように形成される、請求項１から３までのいずれかに記載の玩具。
【請求項５】
前記玩具は、前記ＩＣタグが貼り付けられる補強部材を含み、当該補強部材は前記玩具の他の部分よりも硬い、請求項１から４までのいずれかに記載の玩具。
【請求項６】
前記補強部材は前記指標の裏側に固定され、当該補強部材の面のうち、当該指標に対向する面とは反対側の面に前記ＩＣタグが貼り付けられる、請求項１ないし５のいずれかに記載の玩具。
【請求項７】
前記ＩＣタグの面のうち、当該ＩＣタグが前記補強部材に貼り付けられる面と反対側の面に、当該ＩＣタグを保護する保護部材をさらに設けた、請求項６記載の玩具。
【請求項８】
前記保護部材は、透明または半透明である、請求項７記載の玩具。
【手続補正４９】
【補正対象書類名】図面
【補正対象項目名】図２
【補正方法】変更
【補正の内容】
【図２】
2020078592.tif 000009
【手続補正５０】
【補正対象書類名】図面
【補正対象項目名】図４
【補正方法】変更
【補正の内容】
【図４】
2020078592.tif 000010
【手続補正５１】
【補正対象書類名】図面
【補正対象項目名】図５
【補正方法】変更
【補正の内容】
【図５】
2020078592.tif 000011
【手続補正５２】
【補正対象書類名】図面
【補正対象項目名】図６
【補正方法】変更
【補正の内容】
【図６】
2020078592.tif 000012